【手続補正書】
【提出日】平成17年9月30日(2005.9.30)
【手続補正１】
【補正対象書類名】明細書
【補正対象項目名】特許請求の範囲
【補正方法】変更
【補正の内容】
【特許請求の範囲】
【請求項１】
主映像を示す映像情報と、
少なくとも一部が前記主映像に重ねて表示可能とされる副映像を示す副映像情報と、
(i)前記副映像情報を予め設定された方式により表示制御するための制御情報要素及び(ii)該制御情報要素の存否又は有効無効を示す情報を含む副映像制御情報と
が記録されていることを特徴とする情報記録媒体。
【請求項２】
前記副映像制御情報は、(i)前記副映像情報を予め設定された各種方式に表示制御するための複数種類の制御情報要素及び(ii)該制御情報要素の存否又は有効無効を前記種類別に示す種類指示情報を含むことを特徴とする請求項１に記載の情報記録媒体。
【請求項３】
前記副映像制御情報は、前記副映像における少なくとも一部の領域をサブフレームとして指定するサブフレーム範囲情報を更に含み、
前記制御情報要素は、前記副映像情報を前記サブフレームの単位で制御するための情報からなり、
前記種類指示情報は、前記制御情報要素の存否又は有効無効を前記サブフレームの単位で示すことを特徴とする請求項２に記載の情報記録媒体。
【請求項４】
前記種類指示情報は、前記種類別に１ビットの情報を含んでなるテーブル情報からなることを特徴とする請求項２に記載の情報記録媒体。
【請求項５】
前記テーブル情報は、前記種類に対応付けられていない拡張ビット情報を含んでなり、前記副映像制御情報内における前記制御情報要素が占める部分は可変長であることを特徴とする請求項４に記載の情報記録媒体。
【請求項６】
前記制御情報要素は、前記副映像情報を動的に表示させるための動的制御情報を含むことを特徴とする請求項１に記載の情報記録媒体。
【請求項７】
前記制御情報要素は、前記副映像のうち不透明な部分に対して選択的に陰影を付与し且つ前記主映像に重ねて表示させるための陰影表示制御情報を含むことを特徴とする請求項１に記載の情報記録媒体。
【請求項８】
前記制御情報要素は、(i)前記主映像に重ねて表示される前記副映像の少なくとも一部をボタンとして機能するボタン映像部分として規定するボタン情報及び(ii)該ボタン映像部分に対するハイライト表示制御の仕方を規定するハイライト情報を含むことを特徴とする請求項１に記載の情報記録媒体。
【請求項９】
前記主映像情報、前記副映像情報及び前記副映像制御情報は、所定のパケット単位に分断され且つ多重化されており、更に、前記分断された主映像情報から構成されるビデオストリームと、前記分断された副映像情報セットから構成されるサブピクチャストリームと、前記分断された副映像制御情報から構成される制御情報ストリームとに分けられてストリーム化されていることを特徴とする請求項１に記載の情報記録媒体。
【請求項１０】
主映像を示す映像情報を記録する第１記録手段と、
少なくとも一部が前記主映像に重ねて表示可能とされる副映像を示す副映像情報を記録する第２記録手段と、
(i)前記副映像情報を予め設定された方式により表示制御するための制御情報要素及び(ii)該制御情報要素の存否又は有効無効を示す情報を含む副映像制御情報を記録する第３記録手段と
を備えたことを特徴とする情報記録装置。
【請求項１１】
前記第３記録手段は、(i)前記副映像情報を予め設定された各種方式に表示制御するための複数種類の制御情報要素及び(ii)該制御情報要素の存否又は有効無効を前記種類別に示す種類指示情報を含む前記副映像制御情報を記録することを特徴とする請求項１０に記載の情報記録装置。
【請求項１２】
主映像を示す映像情報を記録する第１記録工程と、
少なくとも一部が前記主映像に重ねて表示可能とされる副映像を示す副映像情報を記録する第２記録工程と、
(i)前記副映像情報を予め設定された方式により表示制御するための制御情報要素及び(ii)該制御情報要素の存否又は有効無効を示す情報を含む副映像制御情報を記録する第３記録工程と
を備えたことを特徴とする情報記録方法。
【請求項１３】
前記第３記録工程は、(i)前記副映像情報を予め設定された各種方式に表示制御するための複数種類の制御情報要素及び(ii)該制御情報要素の存否又は有効無効を前記種類別に示す種類指示情報を含む前記副映像情報を記録することを特徴とする請求項１２に記載の情報記録方法。
【請求項１４】
請求項１に記載の情報記録媒体を再生する情報再生装置であって、
前記映像情報、前記副映像情報及び前記副映像制御情報を再生する再生手段と、
前記再生された映像情報に重ねて、前記再生された副映像情報を表示出力可能な表示出力手段と、
前記再生された副映像制御情報に含まれる、前記制御情報要素の存否又は有効無効を示す情報でその存在又は有効性が示される前記制御情報要素に従って、前記副映像情報を前記方式により表示制御し且つ前記主映像に重ねて表示するように前記表示出力手段を制御する制御手段と
を備えたことを特徴とする情報再生装置。
【請求項１５】
前記副映像制御情報は、(i)前記副映像情報を予め設定された各種方式に表示制御するための複数種類の制御情報要素及び(ii)該制御情報要素の存否又は有効無効を前記種類別に示す種類指示情報を含み、
前記制御手段は、前記再生された副映像情報に含まれる前記種類指示情報でその存在又は有効性が示される前記制御情報要素に従って、前記副映像情報を前記各種方式により表示制御し且つ前記主映像に重ねて表示するように前記表示出力手段を制御することを特徴とする請求項１４に記載の情報再生装置。
【請求項１６】
請求項１に記載の情報記録媒体を再生する情報再生方法であって、
前記映像情報、前記副映像情報及び前記副映像制御情報を再生する再生工程と、
前記再生された映像情報に重ねて、前記再生された副映像情報を表示出力可能な表示出力手段を、前記再生された副映像制御情報に含まれる、前記制御情報要素の存否又は有効無効を示す情報でその存在又は有効性が示される前記制御情報要素に従って、前記副映像情報を前記方式により表示制御し且つ前記主映像に重ねて表示するように制御する制御工程と
を備えたことを特徴とする情報再生方法。
【請求項１７】
前記副映像制御情報は、(i)前記副映像情報を予め設定された各種方式に表示制御するための複数種類の制御情報要素及び(ii)該制御情報要素の存否又は有効無効を前記種類別に示す種類指示情報を含み、
前記制御工程は、前記表示出力手段を、前記再生された副映像情報に含まれる前記種類指示情報でその存在又は有効性が示される前記制御情報要素に従って、前記副映像情報を前記各種方式により表示制御し且つ前記主映像に重ねて表示するように制御することを特徴とする請求項１６に記載の情報再生方法。
【請求項１８】
主映像を示す映像情報を記録する第１記録手段と、
少なくとも一部が前記主映像に重ねて表示可能とされる副映像を示す副映像情報を記録する第２記録手段と、
(i)前記副映像情報を予め設定された方式により表示制御するための制御情報要素及び(ii)該制御情報要素の存否又は有効無効を示す情報を含む副映像制御情報を記録する第３記録手段と、
前記映像情報、前記副映像情報及び前記副映像制御情報を再生する再生手段と、
前記再生された映像情報に重ねて、前記再生された副映像情報を表示出力可能な表示出力手段と、
前記再生された副映像制御情報に含まれる、前記制御情報要素の存否又は有効無効を示す情報でその存在又は有効性が示される前記制御情報要素に従って、前記副映像情報を前記方式により表示制御し且つ前記主映像に重ねて表示するように前記表示出力手段を制御する制御手段と
を備えたことを特徴とする情報記録再生装置。
【請求項１９】
前記第３記録手段は、(i)前記副映像情報を予め設定された各種方式に表示制御するための複数種類の制御情報要素及び(ii)該制御情報要素の存否又は有効無効を前記種類別に示す種類指示情報を含む前記副映像制御情報を記録し、
前記制御手段は、前記再生された副映像情報に含まれる前記種類指示情報でその存在又は有効性が示される前記制御情報要素に従って、前記副映像情報を前記各種方式により表示制御し且つ前記主映像に重ねて表示するように前記表示出力手段を制御することを特徴とする請求項１８に記載の情報記録再生装置。
【請求項２０】
主映像を示す映像情報を記録する第１記録工程と、
少なくとも一部が前記主映像に重ねて表示可能とされる副映像を示す副映像情報を記録する第２記録工程と、
(i)前記副映像情報を予め設定された方式により表示制御するための制御情報要素及び(ii)該制御情報要素の存否又は有効無効を示す情報を含む副映像制御情報を記録する第３記録工程と、
前記映像情報、前記副映像情報及び前記副映像制御情報を再生する再生工程と、
前記再生された映像情報に重ねて、前記再生された副映像情報を表示出力可能な表示出力手段を、前記再生された副映像制御情報に含まれる、前記制御情報要素の存否又は有効無効を示す情報でその存在又は有効性が示される前記制御情報要素に従って、前記副映像情報を前記方式により表示制御し且つ前記主映像に重ねて表示するように制御する制御工程と
を備えたことを特徴とする情報記録再生方法。
【請求項２１】
前記第３記録工程は、(i)前記副映像情報を予め設定された各種方式に表示制御するための複数種類の制御情報要素及び(ii)該制御情報要素の存否又は有効無効を前記種類別に示す種類指示情報を含む前記副映像制御情報を記録し、
前記制御工程は、前記表示出力手段を、前記再生された副映像情報に含まれる前記種類指示情報でその存在又は有効性が示される前記制御情報要素に従って、前記副映像情報を前記各種方式により表示制御し且つ前記主映像に重ねて表示するように制御することを特徴とする請求項１８に記載の情報記録再生方法。
【請求項２２】
請求項１０に記載の情報記録装置に備えられたコンピュータを制御する記録制御用のコンピュータプログラムであって、該コンピュータを、前記第１記録手段、前記第２記録手段及び前記第３記録手段の少なくとも一部として機能させることを特徴とする記録制御用のコンピュータプログラム。
【請求項２３】
請求項１４に記載の情報再生装置に備えられたコンピュータを制御する再生制御用のコンピュータプログラムであって、該コンピュータを、前記再生手段、前記表示出力手段及び前記制御手段の少なくとも一部として機能させることを特徴とする再生制御用のコンピュータプログラム。
【請求項２４】
請求項１８に記載の情報記録再生装置に備えられたコンピュータを制御する記録再生制御用のコンピュータプログラムであって、該コンピュータを、前記第１記録手段、前記第２記録手段、前記第３記録手段、前記再生手段、前記表示出力手段及び前記制御手段の少なくとも一部として機能させることを特徴とする記録再生制御用のコンピュータプログラム。
【請求項２５】
主映像を示す映像情報と、
少なくとも一部が前記主映像に重ねて表示可能とされる副映像を示す副映像情報と、
(i)前記副映像情報を予め設定された方式により表示制御するための制御情報要素及び(ii)該制御情報要素の存否又は有効無効を示す情報を含む副映像制御情報と
を有することを特徴とする制御信号を含むデータ構造。
【請求項２６】
前記副映像制御情報は、(i)前記副映像情報を予め設定された各種方式に表示制御するための複数種類の制御情報要素及び(ii)該制御情報要素の存否又は有効無効を前記種類別に示す種類指示情報を含むことを特徴とする請求項２５に記載の制御信号を含むデータ構造。